(57)【要約】【課題】３Ｄ（三次元立体）の縁取りを実現することにより、その中の物に立体的、幻想的な雰囲気を醸し出すことができる３Ｄフレームを提供する。【解決手段】僅かな厚みを有する板状あるいはシート状の透明枠体１と、該透明枠体１の一側面に細かな規則性をもって線や点として描かれ又は形成される第１模様１ａと、上記透明枠体１の他側面に細かな規則性をもって線や点として描かれ又は形成されると共に、上記第１模様１ａと同じ或いは僅かに変化する第２模様１ｂから構成される。【選択図】        図１
2005238811.tif 000002
【特許請求の範囲】
【請求項１】
僅かな厚みを有する板状あるいはシート状の透明枠体と、該透明枠体の一側面に細かな規則性をもって線や点として描かれ又は形成される第１模様と、上記透明枠体の他側面に細かな規則性をもって線や点として描かれ又は形成されると共に、上記第１模様と同じ或いは僅かに変化する第２模様から構成されることを特徴とする３Ｄフレーム。
【請求項２】
上記透明枠体が、眼鏡の縁であることを特徴とする請求項１に記載の３Ｄフレーム。
【請求項３】
上記透明枠体の裏側に磁性板を置くと共に、該透明枠体の内側において、絵画や装飾物を磁石により前記磁性板に付着せしめることを特徴とする請求項１に記載の３Ｄフレーム。
【請求項４】
上記透明枠体の内部板に、絵画や装飾物を吸盤によりに付着せしめることを特徴とする請求項１に記載の３Ｄフレーム。
【発明の詳細な説明】
【技術分野】
【０００１】
本発明は、３Ｄ（三次元立体）の縁取りを実現するための３Ｄフレームに関するものである。
【背景技術】
【０００２】
従来、僅かな厚みを有する透明樹脂板やシートあるいは透明ガラス（以下、透明板という）の表面に、細かな規則性（繰り返し）を有する点や線による模様を表わすと共に、この透明板の裏面にも前記模様と同じ或いは僅かに異なる模様を僅かにずらせて表わし、これら表面の模様と裏面の模様を透かして見ることによりモアレ模様が沈み込むように或いは浮かび上がるように視認され、その結果、全体として立体感のある模様を楽しむことができる装飾体や装飾シートがあった。（例えば、特許文献１および２参照）
【０００３】
しかしながら、上記従来の装飾体や装飾シートは単なる装飾物の域を出ることはなかった。本発明者は、上記モアレ模様が、これに隣接する物、特にモアレ模様に囲まれた物に対しても相乗的に立体感が醸し出されることに着目し、３Ｄ（三次元立体）の縁取りを実現することができる３Ｄフレームを発明するに至った。
【特許文献１】特開平１０−０３５０８３号公報
【特許文献２】特開平１１−１８９０００号公報
【発明の開示】
【発明が解決しようとする課題】
【０００４】
本発明が解決しようとする課題は、３Ｄ（三次元立体）の縁取りを実現することにより、その中の物に立体的、幻想的な雰囲気を醸し出すことができる３Ｄフレームを提供することにある。
【課題を解決するための手段】
【０００５】
本発明は、僅かな厚みを有する板状あるいはシート状の透明枠体と、該透明枠体の一側面に細かな規則性をもって線や点として描かれ又は形成される第１模様と、上記透明枠体の他側面に細かな規則性をもって線や点として描かれ又は形成されると共に、上記第１模様と同じ或いは僅かに変化する第２模様から構成されることを特徴とする。上記透明枠体内に絵画や装飾物を磁石や吸盤により付設することも特徴とする。
【発明の効果】
【０００６】
本発明の３Ｄフレームは、モアレ模様を現出する３Ｄ（三次元立体）の縁取りにより、その中の物（絵画や装飾物など）に立体的、幻想的な雰囲気を醸し出すことができる作用効果がある。
【発明を実施するための最良の形態】
【０００７】
図１は、本発明装置の一実施例の説明図であって、１は額縁としての透明枠体、１ａは第１模様、１ｂは第２模様、および、２は上記透明枠体１の内側に設置された絵画である。
【０００８】
上記透明枠体１は、無色あるいは薄い有色の透明性合成樹脂板あるいは透明ガラス板から成る。合成樹脂素材としては、アクリル系、ポリカーボネート系、ポリプロピレン系、ポリエステル系、ポリ塩化ビニル系などいずれでもよい。また、上記透明枠体１の板厚は０．２〜１５ｍｍ程度で、硬質あるいは軟質（シート状）のいずれでもよい。さらに、上記透明枠体１の大きさや幅は、フレームの目的に応じていずれでもよい。
【０００９】
上記第１模様１ａは上記透明枠体１の一側面に施される。模様の形態としては、細かな規則性（繰り返しやピッチ）を有する点や線を描くか凹凸で形成するのが好ましい。すなわち、多数の直線や曲線を０．２〜数ｍｍピッチで平行にならべて印刷等で描くか、あるいは溝状または突状に刻設するか、盛り上がるように印刷等で形成する。この線に代えて点を線状に配列して描いてもよい。また、線と点を混在させてもよい。なお、印刷用塗料として蓄光塗料を用いてもよい。
【００１０】
上記第２模様１ｂは上記透明枠体１の他側面に施される。この模様の形態としては、上記第１模様１ａの形態と同じ或いは僅かに変化させたもので、しかも、この第１模様１ａに対して僅かにずらせて施される。
【００１１】
本第１実施例の３Ｄフレームは以上のように構成されているので、上記透明枠体１の表面に施された第１模様１ａと第２模様１ｂによりモアレ模様Ｍが奥に沈んだ状態で見える。このモアレ模様Ｍと上記第１及び第２模様１ａ、１ｂの相乗効果により額縁に立体感が生じ、この立体感により額縁の中に位置する絵画２が、浮かんだ状態で幻想的に視認される。
【００１２】
上記第１の実施例では３Ｄフレームの中に絵画２を配置したが、写真や鏡やカレンダーなどを配置して、壁に掛けたり机上に置くようにしてもよい。また、この３Ｄフレームをパソコンモニターやテレビジョン画面、或いは時計の文字盤に取り付けるようにしてもよい。さらに、上記透明枠体１がシートである場合には、バッグ、かばん、筆入れ等の柔軟性を有する物の表面に貼り付けてもよい。なお、上記実施例では、透明枠体１の内側を刳り貫いているが、本発明の３Ｄフレームはこれに限定するものではなく、透明枠体１の内側に内部板を連続かつ一体的に設けてもよい。
【００１３】
上記実施例の透明枠体１は矩形状の枠体としたが、図２（Ａ）に示すように、円形の枠体として時計の円形文字盤に取り付けたり、また、図２（Ｂ）に示すように、三角形の枠体にしてもよい。このように本発明の３Ｄフレームの形状は、この枠内に入れる物や、これを取り付ける物に応じて決定される。なお、上記枠体は周りが閉じた構造となっているが、１個所あるいは数個所において離れていてもよい。上記透明枠体１は長尺状の板で構成することも可能であり、板に代えてテープとしてもよい。
【００１４】
図３は、本発明の３Ｄフレームを眼鏡の縁として使用する別の実施例を示すものである。この場合、目の周囲のモアレ模様効果により、目が浮いた状態となり、周囲に幻惑的な雰囲気を醸し出すことができる。
【００１５】
図４は、上記絵画２の設置方法の別の実施例を示すもので、上記透明枠体１の裏側に鉄板等の磁性板３を置くと共に、透明枠体１の内側において、上記絵画２を磁石４により磁性板３との間に挟んで取り付けるようになっている。上記磁性板３は透明枠体１の裏側に密着させなくてもよい。なお、透明枠体１の内側に内部板がある場合には、該内部板の表面から磁石４を使って取り付けるようにしてもよい。
【００１６】
図５は、造花などの装飾物５に磁石６を取り付けて、上記磁性板３に付着せしめるようにした、別の実施例を示すものである。本実施例においても、透明板がある場合には、その上から取り付けるようにしてもよい。装飾物５としては、上記造花などの植物に限らず、蝶などの動物、あるいはキャラクター人形など、フレーム内に展示できるものであればいずれでもよい。以上のように、磁性板３と磁石４、６により絵画２や装飾物５を簡単かつ迅速に着脱できる。また、表面に凹凸加工された面であっても、磁石４、６により確実かつ安定して取り付け可能でもある。
【００１７】
図６は、上記図５の実施例の磁石６に代えて、吸盤７を装飾物５に取り付け、該吸盤７を透明枠体１の内部板１′に吸着せしめることにより、装飾物５を透明枠体１内に設置する、更に別の実施例を示すものである。この内部板１′は表面が滑らかな板であれば透明でなくてもよい。なお、上記磁石４、６や吸盤７に、掛具や棚のような保持具（図示せず）を付設して、これに上記装飾物５を保持させて、透明枠体１内に設置させてもよい。
【図面の簡単な説明】
【００１８】
【図１】額縁の３Ｄフレームの実施例を示す説明図である。
【図２】円形の３Ｄフレーム（Ａ）および三角形の３Ｄフレーム（Ｂ）を示す説明図である。
【図３】眼鏡の縁を３Ｄフレームとした別の実施例の説明図である。
【図４】絵画を磁石により透明枠体内に位置させる別の実施例の説明図である。
【図５】装飾物を磁石により透明枠体内に位置させる又別の実施例の説明図である。
【図６】装飾物を吸盤により透明枠体内に位置させる更に別の実施例の説明図である。
【符号の説明】
【００１９】
１    透明枠体
１′  内部板
１ａ  第１模様
１ｂ  第２模様
２    絵画
３    磁性板
４    磁石
５    装飾物
６    磁石
７    吸盤
【図１】
2005238811.tif 000003
【図２】
2005238811.tif 000004
【図３】
2005238811.tif 000005
【図４】
2005238811.tif 000006
【図５】
2005238811.tif 000007
【図６】
2005238811.tif 000008